(57)【要約】【課題】  石板の所有飲料メーカーが明確に判別できる名板プレートを備え、且つその名板プレートが容易に剥がれることのない、自動販売機設置用石板を提供すること。【解決手段】  飲料メーカーのロゴ１８を表示した名板プレート１２と、名板プレート１２を取り付けるための自動販売機設置用石板本体１４とを有し、石板本体１４は、前端面２０に名板プレート１２の外周縁との間に隙間が生じないように名板プレート１２を受け入れる凹部３６を有し、凹部３６の深さと名板プレート１２の厚さとを、名板プレート１２を凹部３６内に固着したときに、名板プレート１２の表面１６がその周囲の石板本体１４の端面の平面部とほぼ同一面となるように設定されている。【選択図】図１
0003192320.tif 000002
【実用新案登録請求の範囲】
【請求項１】
飲料メーカーの名前を表示した名板プレートと、前記名板プレートを取り付けるための自動販売機設置用石板本体とを有し、
前記石板本体は、端面に前記名板プレートの外周縁との間に隙間が生じないように前記名板プレートを受け入れる凹部を有し、
前記凹部の深さと前記名板プレートの厚さとを、前記名板プレートを前記凹部内に固着したときに、前記名板プレートの表面がその周囲の前記石板本体の端面の平面部とほぼ同一面となるように設定されていることを特徴とする自動販売機設置用石板。
【考案の詳細な説明】
【技術分野】
【０００１】
本考案は、自動販売機設置用石板に関し、特に、名板プレートを装着した自動販売機設置用石板に関する。
【背景技術】
【０００２】
従来使用されてきた自動販売機設置用石板は、コンクリート製のもので、設置する際、石板に削孔した上、この削孔にコンクリートアンカーを打込んで金具を固定しており、自動販売機をいれかえる際にはアンカーを引き抜いたり、カットしたりする為、ほぼ１回の使用でコンクリート製の石板は廃棄されていた。
【０００３】
適切な管理の元に製造されたコンクリート製品の物性上の耐久性は、２０年〜３０年の期間が期待できるところ、３年程度の短期間の使用で廃棄されてしまうことは、自然環境保護の観点からも好ましいことではない。
【０００４】
そこで、本出願人は、特許文献１に示すような「自動販売機などの据付基礎ブロック及びその固定方法」を先に提案した。
【０００５】
この自動販売機などの据付基礎ブロックは、基礎ブロックに自動販売機の脚部をボルト・ナット等で固定するためのレールを設けることにより、コンクリートアンカー用の削孔やいれかえ時のアンカーの引き抜き、カット等の手間を不要とし、石板のリユース化に貢献している。
【先行技術文献】
【特許文献】
【０００６】
【特許文献１】特許第４４４３９９２号公報
【考案の概要】
【考案が解決しようとする課題】
【０００７】
ところで、全国に展開している自動販売機の設置業者は、多くの場合、複数の飲料メーカーの自動販売機を設置しており、自動販売機設置用の石板をリユースする際には、撤去、回収した石板がどのメーカーの所有物であるかを識別する必要がある。
【０００８】
これまでの、前述したレール付きの基礎ブロック（コンクリート石板）には、飲料メーカーのロゴの反転マークを型枠に凸状に施し、石板端面に凹状に刻印するか、スタンプ押印で対応していた。
【０００９】
しかし、この方法では、刻印の場合、石板製造メーカーは、飲料メーカー別にコンクリート石板を造り分けなければならなくなり型枠整備、製造管理、在庫管理に大きな負担が生じる。
【００１０】
また、スタンプの場合は、石板製造メーカーは、共通仕様の石板に出荷時にスタンプを押印することにより在庫負担は低減されるが、設置業者が回収した時点ではスタンプが薄くなり、メーカーの判別ができない場合があった。
【００１１】
このような問題は、石板を廃棄処理する場合にも同様に発生する。すなわち、いずれの飲料メーカーの石板であるか不明であると、石板の廃棄処分費用の請求先が不明になるという問題が生じることとなる。
【００１２】
本考案の目的は、石板の所有飲料メーカーが明確に判別できる名板プレートを備え、且つ石板本体を同一仕様として製造管理工程と原価低減に大きく寄与するとともに、名板プレートが容易に剥がれることのない、自動販売機設置用石板を提供することにある。
【課題を解決するための手段】
【００１３】
前記目的を達成するため、本考案の自動販売機設置用石板は、飲料メーカーの名前を表示した名板プレートと、前記名板プレートを取り付けるための自動販売機設置用石板本体とを有し、
前記石板本体は、端面に前記名板プレートの外周縁との間に隙間が生じないように前記名板プレートを受け入れる凹部を有し、
前記凹部の深さと前記名板プレートの厚さとを、前記名板プレートを前記凹部内に固着したときに、前記名板プレートの表面がその周囲の前記石板本体の端面の平面部とほぼ同一面となるように設定されていることを特徴とする。
【００１４】
本考案によれば、自動販売機設置用石板本体の端面に飲料メーカーの名前を表示した名板プレートを固着することで、この名板プレートの表示機能により、自動販売機設置業者は、回収石板の所有飲料メーカーが明確に判別できることになり、且つ自動販売機設置状態においては、その名板プレートが飲料メーカーの広告としての機能も発揮することになる。
【００１５】
また、石板製造メーカーにとっては、出荷時に発注元の飲料メーカーの名板プレートを固着することにより、石板本体を同一仕様とすることが可能となり製造管理工程と原価低減に大きく寄与するものとなる。
【００１６】
さらに、石板本体は、端面に名板プレートの外周縁との間に隙間が生じないように名板プレートを受け入れる凹部を有し、凹部の深さと名板プレートの厚さとを、名板プレートを凹部内に固着したときに、名板プレートの表面がその周囲の石板本体の端面の平面部とほぼ同一面となるように設定されているため、名板プレートが容易に剥がれることがなく、確実に飲料メーカーを認識することができる。
【図面の簡単な説明】
【００１７】
【図１】本考案の一実施の形態にかかる自動販売機設置用石板の斜視図である。
【図２】図１の前端面側から見た正面図である。
【図３】図２のIII−III線に沿う部分断面図である。
【図４】図２のIV−IV線に沿う部分断面図である。
【図５】名板プレートを裏側から見た斜視図である。
【考案を実施するための形態】
【００１８】
以下、本考案の実施の形態について、図面を参照して説明する。
【００１９】
図１は、本考案の一実施の形態にかかる自動販売機設置用石板の斜視図で、この自動販売機設置用石板１０は、名板プレート１２と、自動販売機設置用石板本体１４とを有している。
【００２０】
名板プレート１２は、図２にも示すように、横長の長方形状とされており、その表面１６には飲料メーカーの名前であるロゴ１８（例えば「ＡＢＣＤＥ」）が表示されるようになっている。
【００２１】
また、名板プレート１２は、耐用性を考慮すると、その材質はステンレスが望ましく、
飲料メーカーのロゴ１８等の表記はエッジング加工により施すことが望ましい。
【００２２】
さらに、この名板プレート１２は、図５に示すように、名板プレート本体１２ａの表面に図示せぬ表層カバーフィルムが取り付けられ、裏面には弾力性のある両面接着テープ２１を取り付けるとともに、この両面接着テープ２１に剥離紙２３を取り付けるようにしている。
【００２３】
そして、表層カバーフィルム及び剥離紙２３を剥がした後、この名板プレート１２が自動販売機設置用石板本体１４の端面である前端面２０側に両面接着テープ２１にて固着されるようになっている。
【００２４】
自動販売機設置用石板本体１４は、コンクリート製で、図１に示すように、直方体形状をなし、上面２６に開口した２個のボルト溝２８、上面２６に植設された２個のインサートナット３０、上下に貫通する２個のアンカー孔３２、正面側の前端面２０及び背面側の後端面（図示せず）にそれぞれ２個形成したインサートナット３０を有するとともに、前端面２０及び後端面に手掛け部３４が形成された状態となっている。
【００２５】
そして、手掛け部３４に手をかけて石板本体１４を設置位置まで運搬し、アンカー孔３２を用いて地盤にアンカーで固定し、ボルト溝２８にボルトの頭部を係合させてボルトの位置決めを行い、自動販売機の脚部にボルトを挿通してナットで締め付けることにより、自動販売機を固定できるようになっている。
【００２６】
なお、上面のインサートナット３０、前端面２０及び後端面のインサートナット３０により隣接する石板本体１４に連結プレートを掛け渡して連結することで、隣接する石板本体同士を一体化し得るようになっている。
【００２７】
また、石板本体１４の前端面２０には、左上部位置に名板プレート１２の外周縁との間に隙間が生じないように名板プレート１２を受け入れる凹部３６を有している。
【００２８】
また、凹部３６の深さと名板プレート１２の厚さとの関係は、図３及び図４に示すように、名板プレート１２を凹部３６内に固着したときに、名板プレート１２の表面１６がその周囲の石板本体１４の前端面２０の平面部とほぼ同一面となるように設定されている。
【００２９】
このため、名板プレート１２を凹部３６内に一旦固着すれば、名板プレート１２を剥がそうとする外力が名板プレート１２に作用することが全くないか、または、作用しにくいので、名板プレート１２が容易に剥がれる等の問題がない。
【００３０】
また、名板プレート１２の固着状態において、名板プレート１２上にごみやほこりが溜まりにくいほか、仮に、溜まってもそれらを除去しやすい。
【００３１】
なお、凹部３６の深さと名板プレート１２の厚さとの関係は、名板プレート１２を凹部３６内に固着したときに、名板プレート１２の表面１６がその周囲の石板本体１４の前端面２０の平面部より低くなるように設定してもよい。
【００３２】
この場合にも、名板プレート１２を剥がそうとする外力が名板プレート１２に作用することがないため、名板プレート１２が容易に剥がれることを防止できる。
【００３３】
要するに、凹部３６内に名板プレート１２を固着した状態で、名板プレート１２の外周縁の周りに隙間がなく、しかも、名板プレート１２の表面１６がその周囲の石板本体１４の前端面２０以下の高さ位置するようになっていればよい。
【００３４】
このように本実施の形態にかかる自動販売機設置用石板１０によれば、自動販売機設置用石板本体１４の前端面２０に飲料メーカーのロゴ１８を表示した名板プレート１２を固着することで、この名板プレート１２の表示機能により、自動販売機設置業者は、回収石板の所有飲料メーカーが明確に判別できることになり、且つ自動販売機設置状態においては、その名板プレートが飲料メーカーの広告としての機能も発揮することになる。
【００３５】
また、石板製造メーカーにとっては、出荷時に発注元の飲料メーカーの名板プレート１２を固着することにより、石板本体１４を同一仕様とすることが可能となり製造管理工程と原価低減に大きく寄与するものとなる。
【００３６】
さらに、石板本体１４は、前端面２０に名板プレート１２の外周縁との間に隙間が生じないように名板プレート１２を受け入れる凹部３６を有し、凹部３６の深さと名板プレート１２の厚さとを、名板プレート１２を凹部３６内に固着したときに、名板プレート１２の表面１６がその周囲の石板本体１４の前端面２０の平面部とほぼ同一面となるように設定されているため、名板プレート１２が容易に剥がれることがなく、確実に飲料メーカーを認識することができることとなる。
【産業上の利用可能性】
【００３７】
本考案は、前記実施の形態に限定されるものではなく、本考案の要旨の範囲内において、種々の形態に変形可能である。
【００３８】
例えば、前記実施の形態では、名板プレートがステンレス製で、ロゴの標記はエッジング加工が好ましいとしたが、名板プレートの材料は耐用性のあるものであれば他のものにも採用でき、また材料によって、エッジング加工以外の加工方法も採用可能である。
【符号の説明】
【００３９】
１０  自動販売機設置用石板
１２  名板プレート
１４  自動販売機設置用石板本体
１６  名板プレートの表面
１８  ロゴ
２０  前端面
３６  凹部
【図１】
0003192320.tif 000003
【図２】
0003192320.tif 000004
【図３】
0003192320.tif 000005
【図４】
0003192320.tif 000006
【図５】
0003192320.tif 000007